(57)【特許請求の範囲】
【請求項１】
表示画面を有した表示装置と、
前記表示装置の前記表示画面とは反対側に位置された回路基板と、
前記表示装置および前記回路基板が収容された筐体と、
前記筐体内に設けられ、通信部とグラウンド部とを有したアンテナと、
前記筐体内で前記グラウンド部の周縁部に沿って設けられ、前記アンテナと前記回路基板との間に位置されたシールド部と、
前記筐体に設けられ、導電性を有し、前記表示装置の前記表示画面とは反対側を覆った第一壁部と、
前記筐体に設けられ、導電性を有し、前記表示装置の前記表示画面とは反対側を覆い、前記表示装置と前記第一壁部との間に位置した第二壁部と、
を備え、
前記アンテナの少なくとも一部が、前記第一壁部と前記第二壁部との間に位置し、
前記シールド部が、前記第一壁部と前記第二壁部との間に亘って設けられた、電子機器。
【請求項２】
前記シールド部は、前記筐体内の壁部から突出した突出部を含んだ、請求項１に記載の電子機器。
【請求項３】
前記シールド部は、前記筐体内の壁部に、導電性接着剤によって接合された部材を含んだ、請求項１または２に記載の電子機器。
【請求項４】
前記回路基板は、前記筐体の端部に寄って位置され、
前記アンテナは、前記端部の反対側の第二端部に寄って位置された、請求項１〜３のうちいずれか一つに記載の電子機器。
【請求項５】
前記アンテナは、前記第二端部の長手方向の端部に位置した角部に寄って位置された、請求項４に記載の電子機器。
【請求項６】
前記回路基板が、前記第一壁部と前記第二壁部との間に位置した、請求項１〜５のうちいずれか一つに記載の電子機器。
【請求項７】
前記シールド部が、前記第一壁部および前記第二壁部のうち一方に設けられ可撓性を有した第一部分と、他方に設けられ当該第一部材と当接する第二部分と、を含んだ、請求項１〜６のうちいずれか一つに記載の電子機器。
【請求項８】
前記グラウンド部が前記第一壁部および前記第二壁部のうち少なくとも一方に重なる部分を有し、前記通信部が前記第一壁部および前記第二壁部の双方に重ならない部分を有した、請求項１〜７のうちいずれか一つに記載の電子機器。
【請求項９】
前記第一壁部には、開口部が設けられ、
前記開口部が、前記第一壁部より導電性の低い部材で覆われ、
前記通信部が前記第一壁部より導電性の低い部材に重なった、請求項８に記載の電子機器。
【請求項１０】
表示画面を有した表示装置と、
前記表示装置の前記表示画面とは反対側に位置された回路基板と、
前記表示装置および前記回路基板が収容された筐体と、
前記筐体内に設けられ、通信部とグラウンド部とを有したアンテナと、
前記筐体内で前記グラウンド部の周縁部に沿って設けられ、前記アンテナと前記回路基板との間に位置されたシールド部と、
前記筐体に設けられ、導電性を有し、前記表示装置の前記表示画面とは反対側を覆った第一壁部と、
前記筐体に設けられ、導電性を有し、前記表示装置の前記表示画面とは反対側を覆い、前記表示装置と前記第一壁部との間に位置した第二壁部と、
を備え、
前記アンテナの少なくとも一部が、前記第一壁部と前記第二壁部との間に位置し、
前記シールド部が、前記第一壁部と前記第二壁部との間に設けられた、電子機器。
【請求項１１】
表示画面を有した表示装置と、
前記表示装置の前記表示画面とは反対側に位置された回路基板と、
前記表示装置および前記回路基板が収容された筐体と、
前記筐体内に設けられたアンテナと、
前記筐体内で前記アンテナの周縁部に沿って設けられ、前記アンテナと前記回路基板との間に位置されたシールド部と、
前記筐体に設けられ、導電性を有した第一壁部と、
前記筐体に設けられ、導電性を有し、前記第一壁部と間隔をあけて設けられた第二壁部と、
を備え、
前記アンテナの少なくとも一部が、前記第一壁部と前記第二壁部との間に位置し、
前記シールド部が、前記第一壁部と前記第二壁部との間に設けられた、電子機器。
【請求項１２】
前記シールド部は、前記筐体内の壁部から突出した突出部を含んだ、請求項１１に記載の電子機器。
【請求項１３】
前記シールド部は、前記筐体内の壁部に、導電性接着剤によって接合された部材を含んだ、請求項１１または１２に記載の電子機器。
【請求項１４】
前記回路基板は、前記筐体の端部に寄って位置され、
前記アンテナは、前記端部の反対側の第二端部に寄って位置された、請求項１１〜１３のうちいずれか一つに記載の電子機器。
【請求項１５】
前記アンテナは、前記第二端部の長手方向の端部に位置した角部に寄って位置された、請求項１４に記載の電子機器。
【請求項１６】
前記回路基板が、前記第一壁部と前記第二壁部との間に位置した、請求項１１〜１５のうちいずれか一つに記載の電子機器。
【請求項１７】
前記シールド部が、前記第一壁部および前記第二壁部のうち一方に設けられ可撓性を有した第一部分と、他方に設けられ当該第一部材と当接する第二部分と、を含んだ、請求項１１〜１６のうちいずれか一つに記載の電子機器。
【請求項１８】
前記グラウンド部が前記第一壁部および前記第二壁部のうち少なくとも一方に重なる部分を有し、前記通信部が前記第一壁部および前記第二壁部の双方に重ならない部分を有した、請求項１１〜１７のうちいずれか一つに記載の電子機器。
【請求項１９】
前記第一壁部には、開口部が設けられ、
前記開口部が、前記第一壁部より導電性の低い部材で覆われ、
前記通信部が前記第一壁部より導電性の低い部材に重なった、請求項１８に記載の電子機器。
【発明の詳細な説明】
【技術分野】
【０００１】
本発明の実施形態は、電子機器に関する。
【背景技術】
【０００２】
従来、表示装置の表示画面とは反対側にアンテナが設けられた電子機器が知られている。
【先行技術文献】
【特許文献】
【０００３】
【特許文献１】特開２０１１−１１４５８２号公報
【発明の概要】
【発明が解決しようとする課題】
【０００４】
この種の電子機器では、アンテナによる通信についてより不都合の少ない構成が望まれていた。
【０００５】
そこで、本発明の実施形態は、一例として、アンテナによる通信についてより不都合の少ない電子機器を得ることを目的の一つとする。
【課題を解決するための手段】
【０００６】
本発明の実施形態にかかる電子機器は、表示装置と、回路基板と、筐体と、アンテナと、シールド部と、第一壁部と、第二壁部と、を備える。表示装置は、表示画面を有した。回路基板は、表示装置の表示画面とは反対側に位置された。筐体には、表示装置および回路基板が収容された。アンテナは、筐体内に設けられ、通信部とグラウンド部とを有した。シールド部は、筐体内でグラウンド部の周縁部に沿って設けられ、アンテナと回路基板との間に位置された。第一壁部は、筐体に設けられ、導電性を有し、表示装置の表示画面とは反対側を覆った。第二壁部は、筐体に設けられ、導電性を有し、表示装置の表示画面とは反対側を覆い、表示装置と第一壁部との間に位置した。アンテナの少なくとも一部が、第一壁部と第二壁部との間に位置し、シールド部が、第一壁部と第二壁部との間に亘って設けられた。
【図面の簡単な説明】
【０００７】
【図１】図１は、第１実施形態にかかるテレビジョン受像機の一例が示された正面図である。
【図２】図２は、第１実施形態にかかるテレビジョン受像機の一例が示された側面図である。
【図３】図３は、第１実施形態にかかるテレビジョン受像機の一例の一部の内部構成が示された正面図である。
【図４】図４は、図１のIV−IV断面図である。
【図５】図５は、第２実施形態にかかるテレビジョン受像機がドッキングステーションに保持された状態の一例が示された斜視図である。
【図６】図６は、第２実施形態にかかるテレビジョン受像機の一例が示された斜視図である。
【図７】図７は、第２実施形態にかかるテレビジョン受像機の一例が示された正面図である。
【図８】図８は、第２実施形態にかかるテレビジョン受像機の一例が示された背面図である。
【図９】図９は、第２実施形態にかかるテレビジョン受像機の一例が示された側面図である。
【図１０】図１０は、第２実施形態にかかるテレビジョン受像機の一例が示された分解斜視図である。
【図１１】図１１は、第２実施形態にかかるテレビジョン受像機の内部の構成の一例が示された平面図である。
【図１２】図１２は、図７のXII−XII断面図である。
【図１３】図１３は、第２実施形態にかかるテレビジョン受像機の第二部材の一部の一例が示された斜視図である。
【図１４】図１４は、第２実施形態にかかるテレビジョン受像機の第三部材の一例が示された平面図である。
【図１５】図１５は、第２実施形態にかかるドッキングステーションにテレビジョン受像機が保持された状態の一例が示された側面図である。
【図１６】図１６は、第２実施形態にかかるドッキングステーションにテレビジョン受像機が保持された状態の一例が示された背後側から見た斜視図である。
【図１７】図１７は、第２実施形態にかかるドッキングステーションの一例が示された上側から見た斜視図である。
【図１８】図１８は、第２実施形態にかかるドッキングステーションの一例が示された上側の別の角度から見た斜視図である。
【図１９】図１９は、図５のXIX−XIX断面図である。
【図２０】図２０は、図５のXX−XX断面図である。
【図２１】図２１は、第１変形例にかかるテレビジョン受像機の一例の一部の内部構成が示された正面図である。
【図２２】図２２は、第２変形例にかかるテレビジョン受像機の一例の断面図である。
【図２３】図２３は、第３変形例にかかるテレビジョン受像機の一例の断面図である。
【発明を実施するための形態】
【０００８】
以下の例示的な複数の実施形態には、同様の構成要素が含まれている。よって、以下では、同様の構成要素には共通の符号が付されるとともに、重複する説明が省略される。また、各図では、便宜上、方向（Ｘ方向、Ｙ方向、Ｚ方向）が示されている。Ｘ方向は、テレビジョン受像機の表示画面に対する正面視での長手方向、Ｙ方向は、表示画面に対する正面視での短手方向、Ｚ方向は表示画面に対する正面視での前後方向（奥行方向、筐体の厚さ方向）である。Ｘ方向、Ｙ方向、およびＺ方向は、相互に直交している。
【０００９】
また、以下の実施形態では、電子機器がテレビジョン受像機として構成された場合が例示されるが、本実施形態にかかる電子機器は、これらには限定されない。本実施形態にかかる電子機器は、例えば、ノート型や、デスクトップ型、タブレット型、スレート型等のパーソナルコンピュータや、スマートフォン、スマートテレビ、スマートブック、携帯電話機、ＰＤＡ（personal digital assistant）、映像表示装置、テレビ電話機等の種々の電子機器として構成することができる。
【００１０】
＜第１実施形態＞
本実施形態にかかる電子機器の一例であるテレビジョン受像機１Ａは、図１，２に示されるように、支持部（支部、台、スタンド）２Ａと、筐体３Ａと、を備える。支持部２Ａは、机や、棚、台等の載置部（図示されず）上に載置され、筐体３Ａを支持する。支持部２Ａは、筐体３Ａを固定的に支持してもよいし、移動可能（回動可能、スライド可能）に支持してもよい。筐体３Ａの支持部２Ａに対する回動形態としては、例えばチルトや、スイベル、ピボット等がある。
【００１１】
筐体３Ａは、図１に示されるように、正面視では矩形状（本実施形態では一例として長方形状）に構成されている。また、筐体３Ａは、図２に示されるように、前後方向に薄い扁平な直方体状に構成されている。筐体３Ａは、前面（正面、面、第一面、第一面部）３ａとこの反対側の後面（背面、面、第二面、第二面部）３ｂと、を有する。前面３ａと後面３ｂとは略並行している。また、筐体３Ａは、図１に示されるように、正面視では、四つの端部（辺部、縁部）３ｃ〜３ｆと、四つの角部（尖部、曲部、端部）３ｇ〜３ｊと、を有する。また、端部３ｃ，３ｅは、長辺部の一例である。端部３ｄ，３ｆは、短辺部の一例である。
【００１２】
また、筐体３Ａは、前面３ａを有する壁部（第一壁部、第一部分、プレート、フレーム、前壁部、表壁部、天壁部）３ｋと、後面３ｂを有する壁部（第二壁部、第二部分、プレート、後壁部、裏壁部、底壁部）３ｍと、を有する。壁部３ｋ，３ｍは、矩形状（本実施形態では一例として長方形状）である。また、筐体３Ａは、壁部３ｋと壁部３ｍとの間に亘った側面（面、周面、第三面）３ｐを有する四つの壁部（第三壁部、第三部分、プレート、側壁部、端壁部、立壁部、亘部）３ｎを有する。そして、壁部３ｋには、一例としては矩形状の開口部３ｒが設けられている。
【００１３】
さらに、筐体３Ａは、複数の部品（分割体、部材）が組み合わせられて構成されることができる。筐体３Ａは、一例としては、少なくとも壁部３ｋを含む第一部材（第一部分、前側部材、カバー）３Ｆｒと、少なくとも壁部３ｍを含む第二部材（第二部分、後側部材、ベース、ボトム）３Ｒｒとを有する。壁部３ｎは、第一部材３Ｆｒおよび第二部材３Ｒｒのうち少なくともいずれか一方（例えば、第二部材３Ｒｒ）に含まれることができる。また、筐体３Ａは、第一部材３Ｆｒおよび第二部材３Ｒｒとは別に、これらの間に位置した第三部材３Ｍｄ（第三部分、中間部材、隔部材、障壁部材、壁部材、介在部材、インナプレート、ミドルプレート、ミドルフレーム、図４参照）を有する。その場合、壁部３ｎは、第三部材３Ｍｄに含まれることもできる。筐体３Ａは、金属材料や、合成樹脂材料等で構成されることができる。
【００１４】
筐体３Ａ内には、表示装置（表示部、ディスプレイ、パネル）４が収容されている。表示装置４の、前面３ａ側に位置した表示画面４ａは、開口部３ｒを介して筐体３Ａの前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００１５】
表示装置４の前側（表側、壁部３ｋ側）には、透明な比較的薄い矩形状の入力操作パネル（一例としてはタッチパネル、タッチセンサ、操作面）５が設けられている。入力操作パネル５は、表示画面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３Ａの前方（外方）へ出る。入力操作パネル５は、入力部の一例である。
【００１６】
筐体３Ａ内には、表示装置４の後側（裏側、背後側、壁部３ｍ側、表示画面４ａとは反対側）に、複数の基板６，７（回路基板）が収容されている。基板６，７は、相異なる位置に配置され、いずれも、表示装置４と並行して設けられている。また、基板６，７は、壁部３ｋ，３ｍ，３ｎ等と離間した状態で、すなわち、壁部３ｋ，３ｍ，３ｎ等との間に空間が形成された状態で、設けられている。基板６，７は、表示装置４に沿って並べて配置され、筐体３Ａの厚さ方向には重なり合わないのが好適である。また、基板６，７は、例えばねじ等の固定具によって、筐体３Ａに固定されている。
【００１７】
図１に示される基板（第一基板、第一回路基板、制御基板、メイン基板）６には、ＣＰＵ（central processing unit）等の複数の電子部品（部品、素子、図示されず）が実装されている。電子部品には、発熱体が含まれる。また、発熱量の大きな電子部品（発熱体）には、冷却機構（放熱部、受熱部、図示されず）を設けることができる。基板６および電子部品によって、制御回路（図示されず）の少なくとも一部が構成されている。制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００１８】
図１に示されるように、基板６，７は、筐体３Ａの端部３ｃに寄って位置されている。また、図１，３に示されるように、筐体３Ａ内には、アンテナ２６が設けられている。アンテナ２６は、端部３ｃとは反対側の端部３ｅに寄って位置されるとともに、端部３ｅの長手方向の端部としての角部３ｈに寄って位置されている。このような配置により、一例としては、基板６，７とアンテナ２６とをより遠ざけて配置することができる。よって、一例としては、基板６，７に設けられた電磁波を発生する部品（例えば、ＣＰＵ、メモリ等、図示されず）で生じた電磁波によるノイズがアンテナ２６が通信する電磁波（信号）に混入する（重畳する、影響を及ぼす、悪影響を及ぼす）のが抑制されやすい。
【００１９】
本実施形態では、一例として、アンテナ２６は、図３に示されるように、矩形状（本実施形態では、一例として長方形状）かつ板状（カード状、フィルム状）に構成されている。本実施形態では、一例として、アンテナ２６の長辺方向の一方側に通信部２６ａが設けられ、他方側にグラウンド部２６ｂが設けられている。
【００２０】
本実施形態では、一例として、アンテナ２６は、壁部３ｍに設けられている。具体的に、グラウンド部２６ｂは、筐体３Ａの壁部３ｍの面３ｍ１（内面、壁面）に固定されている。壁部３ｍ（第二部材３Ｒｒ）は導電性を有した材料（例えば、マグネシウム合金等の金属材料）で構成されている。グラウンド部２６ｂは、一例としては導電性接着剤で壁部３ｍに固定され、かつ電気的に接続されている。よって、本実施形態によれば、一例としては、グラウンド部２６ｂと壁部３ｍとの電位差が小さくなりやすく、アンテナ２６の信号にノイズがより混入しにくくなる。
【００２１】
また、本実施形態では、一例として、図３，４に示されるように、壁部３ｍには、開口部８０が設けられている。開口部８０は、本実施形態では、一例として、矩形状の切欠部として設けられている。そして、開口部８０は、部材８１で覆われ、塞がれている。部材８１は、壁部３ｍより導電性の低い材料（例えば、絶縁体、不導体、合成樹脂材料、プラスチック等）で構成されている。部材８１は、板状（壁状）かつ矩形状に構成されている。部材８１の外面８１ａは、筐体３の後面３ｂの一部を構成している。また、部材８１は、端部３ｄ（壁部３ｎ、側面３ｐ）の一部を構成している。そして、通信部２６ａが、正面視（筐体３Ａの厚さ方向の視線）で、壁部３ｍとは重ならない部分を有し、開口部８０および部材８１と重なっている。さらに、壁部３ｋの、少なくとも開口部８０（部材８１、通信部２６ａ）と重なり合う部分（本実施形態では、一例として第一部材３Ｆｒの全体）も、壁部３ｍより導電性の低い材料（例えば、絶縁体、不導体、合成樹脂材料、プラスチック等）で構成されている。また、第三部材３Ｍｄは、導電性を有した材料（例えば、マグネシウム合金等の金属材料）で構成されている。しかし、通信部２６ａの少なくとも一部は、図４に示されるように、第三部材３Ｍｄの端部としての端部３０ｂより端部３ｄ側に位置し、第三部材３Ｍｄの端部３０ｂとも重なっていない。よって、本実施形態によれば、一例としては、導電性材料（導体）によってアンテナ２６の通信特性が損なわれるのが抑制されやすい。
【００２２】
また、本実施形態では、一例として、アンテナ２６のグラウンド部２６ｂの周縁部の少なくとも一部に沿って、シールド部９０が設けられている。シールド部９０は、第二部材３Ｒｒの壁部３ｍと第三部材３Ｍｄの壁部３２ａとの間に亘っている。具体的には、シールド部９０は、壁部３ｍの面３ｍ１（内面、壁面）に設けられた部材９０ａと、第三部材３Ｍｄの壁部３２ａの面３２ａ１（内面、壁面）から突出した突出部９０ｂ（リブ、壁部）と、を有する。部材９０ａは、本実施形態では、一例として、矩形状断面を有して延びた直方体状（角柱状）の外観を呈する。部材９０ａは可撓性を有する。部材９０ａは、例えば、発泡材料や弾性材料（スポンジや、ゴム、エラストマ等）で構成された内側部材と、この内側部材の周囲を覆った外側部材（布や、シート、膜等）と、を含むことができる。外側部材は、導電性材料で構成することができ、内側部材も、導電性材料で構成することができる。また、部材９０ａは、一例としては、導電性接着剤により、壁部３ｍに接合（固定、結合、接続）されている。よって、部材９０ａは、壁部３ｍと電気的に接続され、ひいては、グラウンド部２６ｂとも電気的に接続されている。突出部９０ｂは、部材９０ａと面して（対向して）設けられ、アセンブリされた状態では、部材９０ａと接触している。本実施形態では、一例として、突出部９０ｂは、部材９０ａに食い込んでいる。よって、壁部３２ａも、突出部９０ｂおよび部材９０ａを介して、グラウンド部２６ｂと電気的に接続されている。本実施形態では、一例として、基板６，７は、第二部材３Ｒｒの壁部３ｍと、第三部材３Ｍｄの壁部３２ａとの間に位置されている。そして、シールド部９０は、図１，３からわかるように、アンテナ２６（のグラウンド部２６ｂ）と基板６，７との間に位置されている。壁部３ｍは、第一壁部の一例であり、壁部３２ａは、第二壁部の一例である。また、部材９０ａは、第一部分（第一部材、第一部）の一例であり、突出部９０ｂは、第二部分（第二部材、第二部）の一例である。なお、本実施形態では、一例として、シールド部９０は、壁部３ｍの面３ｍ１から突出した壁部９０ｃを有する。この壁部９０ｃも、導電性を有しており、シールド機能の一部を担うことができる。また、壁部９０ｃは、部材９０ａに沿っている。よって、本実施形態によれば、一例としては、壁部９０ｃは、部材９０ａを壁部３ｍに取り付ける際の目標、ガイド、位置決めとして機能することができる。また、本実施形態によれば、一例としては、壁部９０ｃによって壁部３ｍ（第二部材３Ｒｒ）の剛性が向上する。
【００２３】
また、上述したように、本実施形態では、一例として、アンテナ２６は、筐体３の角部３ｈに寄せて設けられている。このため、図３に示されるように、矩形状のアンテナ２６（グラウンド部２６ｂ）の一辺を、筐体３の壁部３ｎ（側壁）に沿わせる（対向させる）ことができる。よって、この壁部３ｎを導電性を有した部材で構成することにより、この辺については、当該辺に沿った周縁部に位置された壁部３ｎをシールド部として用いることができる。ただし、この壁部３ｎによっては、筐体３外からの電磁波のアンテナ２６の電磁波（信号）に対する混入が抑制される。
【００２４】
以上のように、本実施形態では、アンテナ２６と基板６，７との間に、シールド部９０が位置されている。よって、本実施形態によれば、一例としては、基板６，７（に設けられた部品、電子部品等）からの電磁波がアンテナ２６の電磁波（信号）に混入する（重畳する、影響を及ぼす、悪影響を及ぼす）のが抑制されやすい。
【００２５】
また、本実施形態では、一例として、シールド部９０は、壁部３２ａの面３２ａ１から突出した突出部９０ｂを含む。また、本実施形態では、一例として、シールド部９０は、壁部３ｍの面３ｍ１に導電性接着剤によって接合された部材９０ａを含む。よって、本実施形態によれば、一例としては、シールド部９０を比較的簡素な構成として得ることができる。
【００２６】
また、本実施形態では、一例として、基板６，７は、筐体３の端部３ｃに寄って位置され、アンテナ２６は、端部３ｃとは反対側の端部３ｅに寄って位置された。また、本実施形態では、一例として、アンテナ２６は、端部３ｅの長手方向の端部に位置した角部３ｈに寄って位置された。よって、本実施形態によれば、一例としては、基板６，７とアンテナ２６とがより離間して配置される。よって、一例としては、基板６，７（に設けられた部品、電子部品等）からの電磁波がアンテナ２６の電磁波（信号）に混入する（重畳する、影響を及ぼす、悪影響を及ぼす）のがより一層抑制されやすい。
【００２７】
また、本実施形態では、一例として、シールド部９０が、壁部３ｍと壁部３２ａとに亘って設けられた。また、本実施形態では、一例として、基板６，７が壁部３ｍと壁部３２ａとの間に位置された。よって、本実施形態によれば、一例としては、基板６，７（に設けられた部品、電子部品等）からの電磁波がアンテナ２６の電磁波（信号）に混入する（重畳する、影響を及ぼす、悪影響を及ぼす）のがより一層抑制されやすい。
【００２８】
また、本実施形態では、一例として、シールド部９０が、可撓性を有した部材９０ａと、部材９０ａに当接する突出部９０ｂとを含む。よって、本実施形態によれば、一例としては、シールド部９０の隙間が減りやすい。よって、一例としては、シールド部９０によるシールド効果がより確実に得られやすい。
【００２９】
また、本実施形態では、一例として、グラウンド部２６ｂが、壁部３ｍ，３２ａに重なる部分を有し、通信部２６ａが、壁部３ｍ，３２ａに重ならない部分を有する。また、本実施形態では、一例として、壁部３ｍには開口部８０が設けられ、開口部８０が壁部３ｍより導電性の低い部材８１で覆われている。よって、本実施形態によれば、一例としては、壁部３ｍ，３２ａによって、通信部２６ａによる通信の障害が生じるのが抑制されやすい。
【００３０】
＜第２実施形態＞
本実施形態では、一例として、図５に示されるように、支持部の一例であるドッキングステーション２に、電子機器の一例であるテレビジョン受像機１が装着されて、テレビシステム（電子機器システム）１００が構成される。本実施形態では、ドッキングステーション２（支持部）は、テレビジョン受像機（電子機器）１が接続された場合に、例えば、そのテレビジョン受像機１用の、すなわち、テレビジョン受像機１内の回路等に電気的に接続されたコネクタが付加されたり、当該コネクタの数が増えたりする等、テレビジョン受像機１が有していない機能を付加したり、テレビジョン受像機１が有している機能を拡張したり増大したりすることができる。すなわち、ドッキングステーション２（支持部）は、テレビジョン受像機（電子機器）１に対応した機能拡張装置の一例である。
【００３１】
また、ドッキングステーション２は、表示装置４が収容されたテレビジョン受像機１の筐体３を支持する。すなわち、ドッキングステーション２は、テレビジョン受像機１の支持装置（支持台、スタンド）の一例である。また、ドッキングステーション２は、表示装置４の表示画面４ａの角度を調節可能な機構（図５には示されず）を備えている。すなわち、ドッキングステーション２は、表示画面４ａ（表示装置４が収容された筐体３）の角度調整装置の一例である。
【００３２】
（テレビジョン受像機（電子機器））
テレビジョン受像機１の筐体３は、本実施形態では、一例として、図５〜８に示されるように、正面視および背面視では矩形状（本実施形態では、一例として長方形状）に構成されている。また、筐体３は、本実施形態では、一例として、図６，９に示されるように、前後方向に薄い扁平な直方体状に構成されている。筐体３は、前面（正面、面、第一面、第一面部）３ａとこの反対側の後面（背面、面、第二面、第二面部）３ｂと、を有する。前面３ａと後面３ｂとは略並行している。また、筐体３は、図６〜８に示されるように、正面視では、四つの端部（辺部、縁部）３ｃ〜３ｆと、四つの角部（尖部、曲部、端部）３ｇ〜３ｊと、を有する。端部３ｃ，３ｅは、長辺部の一例である。また、端部３ｄ，３ｆは、短辺部の一例である。
【００３３】
また、筐体３は、前面３ａを有する壁部（第一壁部、第一部分、プレート、フレーム、前壁部、表壁部、天壁部）３ｋと、後面３ｂを有する壁部（第二壁部、第二部分、プレート、後壁部、裏壁部、底壁部）３ｍと、を有する。壁部３ｋ，３ｍは、矩形状（本実施形態では、一例として長方形状）である。また、筐体３は、壁部３ｋと壁部３ｍとの間に亘った側面（面、周面、第三面）３ｐを有する四つの壁部（第三壁部、第三部分、プレート、側壁部、端壁部、立壁部、亘部）３ｎを有する。壁部３ｋには、一例としては矩形状の開口部３ｒが設けられている。
【００３４】
さらに、筐体３は、複数の部品（分割体）が組み合わせられて構成されることができる。筐体３は、本実施形態では、一例として、少なくとも壁部３ｋを含む第一部材（第一部分、前側部材、カバー）３Ｆｒと、少なくとも壁部３ｍを含む第二部材（第二部分、後側部材、ベース、ボトム）３Ｒｒとを有する。壁部３ｎは、第一部材３Ｆｒおよび第二部材３Ｒｒのうち少なくともいずれか一方（例えば、第二部材３Ｒｒ）に含まれる。また、本実施形態では、図１０，１２に示されるように、筐体３は、第一部材３Ｆｒおよび第二部材３Ｒｒとは別に、これらの間に位置した第三部材（第三部分、中間部材、隔部材、障壁部材、壁部材、介在部材、インナプレート、ミドルプレート、ミドルフレーム）３Ｍｄを有する。壁部３ｎの一部は、第三部材３Ｍｄに含まれることができる。筐体３は、金属材料や、合成樹脂材料等で構成されることができる。一例として、第二部材３Ｒｒおよび第三部材３Ｍｄは、比較的剛性の高い材料（例えば、マグネシウム合金等の金属材料等）で構成されることができ、第一部材３Ｆｒは、比較的剛性の低い材料（第二部材３Ｒｒおよび第三部材３Ｍｄより剛性の低い材料、例えば合成樹脂材料等）で構成されることができる。なお、第一部材３Ｆｒ、第二部材３Ｒｒ、および第三部材３Ｍｄには、リブ等の壁部（突出部、突出壁部）が設けられることができる。壁部により、筐体３の剛性が高くなりやすい。また、第三部材３Ｍｄには、貫通孔等の開口部３０ａが設けられることができる。開口部３０ａにより、筐体３をより軽量に構成することができる。
【００３５】
また、本実施形態では、一例として、図９に示されるように、長手方向を横向きにした使用状態で下側または手前側（ユーザに近い側）となる第一部３Ｂａの厚さが、当該使用状態で上側または奥側（ユーザから遠い側）となる第二部３Ｂｂの厚さより薄い。このため、机等の載置面Ｐ上に載せて使用する状態では、筐体３の前面３ａおよび表示画面４ａ（図６参照）の載置面（水平面）Ｐからの高さが、手前側（下側）から奥側（上側）に向かうにつれて、高くなる。よって、本実施形態によれば、一例としては、テレビジョン受像機１に対して図９の左側に位置したユーザにとって、表示画面４ａが所謂チルトの状態となり、ユーザが表示画面４ａを見やすいという利点がある。図９の状態での表示画面４ａの載置面Ｐとの角度（鈍角側）は、１３５°以上でありかつ１８０°未満であることができる。本実施形態では、一例として、筐体３の後面３ｂに複数の突出部３ｖ（３ｖ，３ｖ）が設けられている。図９から明らかとなるように、図９の右側の第二部３Ｂｂに位置された突出部３ｖの先端部分と表示画面４ａとの距離は、図９の左側の第一部３Ｂａに位置された突出部３ｖの先端部分と表示画面ｎ４ａとの距離より長い。本実施形態では、図９の左側の突出部３ｖ（の先端部分）は第一接触部の一例であり、図９の右側の突出部３ｖ（の先端部分）は第二接触部の一例である。
【００３６】
そして、筐体３には、部品１６を出入可能に収容した部品収容部１７が設けられている。部品収容部１７の開口部１７ａは、本実施形態では、一例として、端部３ｄに開口している。この開口部１７ａは、いずれかの使用姿勢（上述の例では、第一姿勢または第二姿勢）で上側となり、かつ非使用姿勢では下側とならない端部３ｄに設けられている。このような構成によれば、使用姿勢では、開口部１７ａが上側に位置される。よって、一例としては、部品１６が部品収容部１７から重力の作用によって脱落するのを抑制しやすくなる。部品１６は、具体的には、例えば、スタイラス、スタイラスペン、ペン等である。
【００３７】
また、本実施形態では、一例として、図７に示されるように、バッテリ１８と、表示装置４とが、筐体３の厚さ方向には重ならず、厚さ方向と直交する方向（前面３ａまたは後面３ｂに沿う方向、Ｘ方向またはＹ方向、本実施形態では一例として、Ｙ方向）に並んで配置されている。よって、一例としては、バッテリ１８と表示装置４とが筐体３の厚さ方向に重なった場合に比べて、筐体３をより薄く構成することができる。また、一例としては、バッテリ１８と表示装置４とが筐体３の厚さ方向に重なった場合に比べて、バッテリ１８をより厚くしやすくなり、ひいては、バッテリ１８の単位体積あたりの容量を高めやすくなる。また、図９に示されるように、本実施形態では、筐体３は、薄い第一部３Ｂａと、厚い第二部３Ｂｂとを有している。バッテリ１８を収容するバッテリ収容部（バッテリ支持部）３ｓは、厚い第二部３Ｂｂの端部３ｃに設けられている。よって、一例としては、バッテリ収容部３ｓが第一部３Ｂａに設けられた場合に比べて、バッテリ１８を厚くしやすくなり、ひいては、バッテリ１８の単位体積あたりの蓄電容量を高めやすくなる。
【００３８】
また、本実施形態では、一例として、バッテリ収容部３ｓが設けられた端部３ｃと反対側の端部３ｅが、ドッキングステーション２に支持される。よって、一例としては、作業者（ユーザ等）は、テレビジョン受像機１がドッキングステーション２に支持された状態で、バッテリ１８を筐体３に着脱することができる。また、端部３ｅには、図６，７に示されるように、ドッキングステーション２のコネクタ４３（図１７等参照）と接続されるコネクタ１９が設けられている。よって、一例としては、バッテリ収容部３ｓおよびコネクタ１９が、相互に干渉することなく、筐体３に設けられやすい。なお、端部３ｅには、スピーカカバー３ｔも露出している。コネクタ１９およびスピーカカバー３ｔは、端部３ｅの壁部３ｎに設けられた開口部３ｕを介して露出している。コネクタ１９は、第一コネクタの一例である。
【００３９】
また、本実施形態では、一例として、図５，６，７，９に示されるように、筐体３の前面３ａや側面３ｐには、操作部２０やコネクタ２１が設けられている。操作部２０は、押しボタンや、押しスイッチ、スライドスイッチ、ポインティングデバイス等であることができる。コネクタ２１は、電源ケーブル用のコネクタや、ＵＳＢコネクタ、イヤホンやマイクのコネクタ等である。操作部２０やコネクタ２１は、筐体３の壁部３ｋ，３ｎに設けられた開口部３ｕを介して露出している。また、前面３ａには、カメラ（カメラモジュール、撮像装置）３１を設けることができる。
【００４０】
また、本実施形態では、一例として、図６，８，９に示されるように、筐体３の後面３ｂや側面３ｐには、電子部品１２（図１１，１２参照）の冷却等に用いる空気を導入したり排出したりする通気口２２が設けられている。本実施形態では、一例として、後面３ｂ（壁部３ｍ）に、空気を導入する導入口２２ａが設けられ、側面３ｐ（壁部３ｎ、端部３ｄ）に、空気を排出する排出口２２ｂが設けられている。本実施形態では、導入口２２ａや排出口２２ｂは、壁部３ｍ，３ｎに設けられた複数の小孔２２ｃが集まった部分として設けられている。なお、後面３ｂには突出部３ｖが設けられている。よって、図９に示されるような後面３ｂが載置面Ｐ上に載せられた状態でも、導入口２２ａは塞がれない。また、本実施形態では、筐体３の薄い第一部３Ｂａと厚い第二部３Ｂｂとの境界部分に、傾斜部３Ｂｃが設けられている。そして、図８に示されるように、導入口２２ａのうちの一つ２２ａ１が、傾斜部３Ｂｃの後面３ｂに設けられている。図９に示されるように、傾斜部３Ｂｃと載置面Ｐとの間の距離は、他の部分と載置面Ｐとの間の距離より大きくなるため、この傾斜部３Ｂｃに設けられた導入口２２ａ１については、空気の通流抵抗を減らしやすくなって、冷却効率をより高めやすくなる。また、本実施形態では、複数の導入口２２ａが設けられている。よって、一例としては、何らかの原因で一つの導入口２２ａが塞がれたような場合にあっても、他の導入口２２ａから空気流を筐体３内に導入することができ、冷却性能が損なわれにくくなる。なお、筐体３内は、冷却機構２３（図１１，１２等参照）によって冷却してもよいし、自然冷却（対流冷却）によって冷却してもよい。
【００４１】
本実施形態では、一例として、図１０，１２に示されるように、第一部材３Ｆｒと第三部材３Ｍｄとの間に、表示装置（表示部、ディスプレイ、パネル）４が収容されている。表示装置４の、前面３ａ側に位置した表示画面４ａは、開口部３ｒを介して筐体３の前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００４２】
また、本実施形態では、一例として、表示装置４の前側（表側、壁部３ｋ側）には、透明な比較的薄い矩形状の入力操作パネル（一例としてはタッチパネル、タッチセンサ、操作面）５が設けられている。入力操作パネル５は、表示画面４ａを覆っている。操作者（ユーザ等）は、例えば、手指や部品１６（スタイラス）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３の前方（外方）へ出る。入力操作パネル５は、入力部の一例である。
【００４３】
そして、本実施形態では、一例として、図１０に示されるように、筐体３内には、表示装置４の後側（裏側、背後側、壁部３ｍ側、表示画面４ａとは反対側）、本実施形態では、一例として、第二部材３Ｒｒと第三部材３Ｍｄとの間に、複数の基板６，７，２５が収容されている。基板６，７，２５は、相異なる位置に配置され、いずれも、表示装置４と並行して設けられている。また、基板６，７，２５は、壁部３ｋ，３ｍ，３ｎ等と離間した状態で、すなわち、壁部３ｋ，３ｍ，３ｎ等との間に空間が形成された状態で、設けられている。基板６，７，２５は、表示装置４に沿って並べて配置され、筐体３の厚さ方向には重なり合わないことができる。また、基板６，７，２５は、ねじ等の固定具によって、筐体３に固定されている。
【００４４】
また、本実施形態では、一例として、基板（第一基板、第一回路基板、制御基板、メイン基板）６には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の電子部品１２（図１１，１２参照、図１２には一部のみ図示）を実装することができる。電子部品１２には、発熱体が含まれる。発熱量の大きな電子部品（発熱体）１２には、冷却機構２３を設けることができる。冷却機構２３は、ヒートシンク（受熱部、図示されず）、ヒートパイプ２３ａ、放熱部２３ｂ、ファン２４等を含んでいる。基板６および電子部品１２によって、制御回路（図示されず）の少なくとも一部が構成されている。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００４５】
また、本実施形態では、一例として、図９，１１からわかるように、基板６，７および冷却機構２３は、筐体３の厚い第二部３Ｂｂに位置されている。よって、一例としては、基板６，７および冷却機構２３が薄い第一部３Ｂａに位置された場合に比べて、空間をより広く確保しやすくなり、冷却機構２３のファン２４によって流される空気流による冷却効果が得られやすい。また、本実施形態では、一例として、ファン２４および放熱部２３ｂは、規定された（制御された）使用状態で上側となる端部３ｃと端部３ｄとが接続される角部３ｇに設けられている。したがって、一例としては、テレビジョン受像機１の使用姿勢によらず、ファン２４および放熱部２３ｂを筐体３内の上側に配置することができる。よって、一例としては、熱が筐体３内に留まりにくくなる。なお、ファン２４および放熱部２３ｂは、排出口２２ｂに隣接して設けられている。
【００４６】
また、本実施形態では、一例として、基板７は、冷却機構２３との間で基板６を挟む位置（第二部３Ｂｂで基板７、基板６、および冷却機構２３の順に並ぶ位置）に設けられる。このような構成により、外部から吸気された空気が基板６の位置に到達する前に基板７に当たる。よって、一例としては、基板７の放熱効率が高くなりやすい。また、モジュール８Ａ，８Ｂが実装された基板７が、筐体３内の部品の中では比較的重量が大きく筐体３の中央に位置した基板６に対し、他の重量物である冷却機構２３と反対側に位置される。よって、一例としては、テレビジョン受像機１の重量バランスがより良くなる。よって、一例としては、ユーザは、テレビジョン受像機１を持ち運ぶ際に、より持ちやすい。
【００４７】
また、本実施形態では、一例として、図１２に示されるように、筐体３の壁部３ｍに、ファン２４に近い導入口２２ａ２と、基板６を挟んで導入口２２ａ２の反対側に位置した導入口２２ａ３と、導入口２２ａ２，２２ａ３より発熱体としての電子部品１２に近い導入口２２ａ１と、が設けられている。導入口２２ａ２が設けられたことで、筐体３内により効率良く空気流を流すことができる。また、導入口２２ａ３から導入された空気流Ｓは、基板６の後側の第二面６ｂに沿ってファン２４に向けて流れる空気流Ｓ２と、基板６のファン２４とは反対側に位置した端部６ｃの外側を通過して（回り込んで、迂回して）基板６の前側の第一面６ａに沿ってファン２４に向けて流れる空気流Ｓ１と、に分けられる。よって、基板６の第一面６ａおよび第二面６ｂの両側に設けられた電子部品（発熱体）１２を冷却することができる。
【００４８】
また、本実施形態では、一例として、図１１，１２に示されるように、基板７およびモジュール８Ａ，８Ｂは、表示装置４に沿って配置されている。また、基板２５には、電子部品１２が設けられている。また、筐体３内には、フレキシブルケーブル２７が収容されている。フレキシブルケーブル２７は、基板６，７，２５や、表示装置４、コネクタ１９等の間を、電気的に接続している。フレキシブルケーブル２７は、例えば、フレキシブルプリント配線板や、フラットケーブル等である。
【００４９】
また、図１１に示されるように、筐体３内には、複数のアンテナ２６が収容されている。本実施形態では、一つの通信モジュール（例えば、モジュール８Ｂ）に接続された複数のアンテナ２６が、相互に離間して配置されている。本実施形態では、一例として、一つのアンテナ２６は、筐体３の端部３ｄおよび端部３ｅの近傍（角部３ｈの近傍）に配置され、もう一つのアンテナ２６は、筐体３の端部３ｅおよび端部３ｆの近傍（角部３ｉの近傍）に配置されている。これにより、一例としては、アンテナ２６の空間ダイバーシティを構成することができる。なお、アンテナ２６とモジュール８Ｂとは、ケーブル２８を介して電気的に接続されている。なお、一方のアンテナ２６を送受信用とし、他方のアンテナ２６を受信専用とするなど、複数のアンテナ２６，２６で機能を分けることもできるし、一方のアンテナ２６を他方のアンテナ２６の予備として利用することもできる。
【００５０】
アンテナ２６や、シールド部９０、壁部３ｍ，３２ａ，３ｋ等の構成は、上記第１実施形態と同様である。よって、本実施形態によっても、上記第１実施形態と同様の効果が得られる。すなわち、部品（電磁波の発生源、電子部品１２等）からの電磁波が、アンテナ２６の電磁波（信号）に混入するのが抑制されやすい。また、本実施形態では、一例として、図１３に示されるように、壁部３ｍには、アンテナ２６を支持する支持部８２が設けられている。支持部８２は、本実施形態では、一例として、壁部３ｍから突出した突出部（壁部、リブ）として構成されている。本実施形態によれば、一例としては、支持部８２によって、アンテナ２６（通信部２６ａ）がより強固に支持されやすい。また、アンテナ２６（通信部２６ａ）がより好適な姿勢に保持されやすい。
【００５１】
また、図１４に示されるように、第三部材３Ｍｄの壁部３２ａの面３２ａ１には、部材９０ａに対応する（対向する）位置に、突出部９０ｂが設けられている。また、第三部材３Ｍｄの端部３０ｂには、開口部８３が設けられている。本実施形態では、一例として、開口部８３は、切欠部として構成されている。この開口部８３は、第二部材３Ｒｒの壁部３ｍに設けられた開口部８０に対応し、開口部８０と筐体３の厚さ方向に重なっている。よって、壁部３ｍによってアンテナ２６の通信部２６ａによる通信が妨げられるが抑制されやすい。
【００５２】
（ドッキングステーション）
本実施形態では、一例として、図１５に示されるように、ドッキングステーション２は、第一支持部２ａと、第二支持部２ｂと、を有する。第一支持部２ａは、載置面Ｐ上に載せられ、土台（台部、底部、下部、基礎部、基底、基底部、載部、脚部、脚、倒れ抑制部、抑制部）として機能する。第二支持部２ｂは、第一支持部２ａ（の底部）から載置面Ｐ上に突出し、テレビジョン受像機１の筐体３を所定の姿勢（位置）で保持する。すなわち、第二支持部２ｂは、保持部（起立部、縦部、上部、受部、持部、覆部、当接部、接触部、ガイド部）として機能する。なお、第一支持部２ａと第二支持部２ｂとは、部品として明確に分けられている必要は無く、部品の部位等であってもよい。また、本実施形態では、一例として、ドッキングステーション２は、第一支持部２ａと第二支持部２ｂとの間に位置され、第一支持部２ａの上方かつ第二支持部２ｂの後方に突出した突出部２ｃを有する。この突出部２ｃは、部品を収容した部品収容部４１としての機能を有するとともに、第一支持部２ａと第二支持部２ｂとの間に介在して、第二支持部２ｂを支持した支持部として機能している。ドッキングステーション２、第一支持部２ａ、第二支持部２ｂ、および突出部２ｃは、テレビジョン受像機（電子機器）１を支持する支持部の一例である。第一支持部２ａ、第二支持部２ｂ、および突出部２ｃは、種々のスペック（形状や、構造、数等）で具現化することができる。ドッキングステーション２は、当該ドッキングステーション２の所定位置（装着位置、保持位置、載置位置）に位置されたテレビジョン受像機（電子機器）１に、機械的ならびに電気的に接続される。
【００５３】
ドッキングステーション２は、装着されたテレビジョン受像機（電子機器）１に関する種々の機能を提供することができる。ドッキングステーション２は、例えば、表示画面４ａを起立させるためのスタンドとして機能することができる。この場合、ドッキングステーション２は、表示画面４ａの角度（テレビジョン受像機１の姿勢）を可変設定する機能を有することができる。これについては後述する。また、ドッキングステーション２は、例えば、テレビジョン受像機１の充電装置として機能することができる。この場合、ドッキングステーション２は、テレビジョン受像機１に対して電気的に接続された有線の充電装置として機能することができる他、非接触充電（ワイヤレス給電）を行う充電装置として機能することができる。この場合、非接触充電部は、一例としては、第二支持部２ｂに設けられる。また、ドッキングステーション２は、例えば、テレビジョン受像機１に電気的に接続されるコネクタを増やすコネクタ部（コネクタ用ハブ、データや信号等の中継装置）として機能することができる。また、ドッキングステーション２は、例えば、テレビジョン受像機１のスピーカとして機能することができる。また、ドッキングステーション２は、例えば、テレビジョン受像機１の冷却機能を備えることもできる。その場合、一例としては、ドッキングステーション２の筐体４０内に通気経路やファン等が設けられ、通気経路を通る空気により、テレビジョン受像機１の冷却を補助あるいは促進することができる。また、通気経路は、テレビジョン受像機１の通気口２２と面した開口部を有することができる。また、一例としては、ドッキングステーション２は、テレビジョン受像機１に面した冷却部を有しても良い。また、ドッキングステーション２は、例えば、ＡＣアダプタの機能を備えることもできる。
【００５４】
また、本実施形態では、一例として、ドッキングステーション２は、少なくとも部分的に中空構造を有する。ドッキングステーション２は、筐体４０を有し、筐体４０内に、基板（図示されず）や、コネクタ４３，４４、電子部品（図示されず）、ハーネス（図示されず）等の各種部品の少なくとも一部が収容されている。筐体４０は、合成樹脂材料や金属材料（本実施形態では、一例として合成樹脂材料）で構成されることができる。また、本実施形態では、一例として、筐体４０内には、フレーム（枠部材、骨格部材、高剛性部材、剛性部材、強度部材、図示されず）が設けられている。フレームは、金属材料や合成樹脂材料（本実施形態では、一例として、金属材料）で構成されることができる。コネクタ４３は、第二コネクタの一例である。また、本実施形態では、一例として、筐体４０の一部であり突出部２ｃとして構成された部品収容部４１には、基板（図示されず）および当該基板に設けられたコネクタ４４や電子部品（図示されず）等が収容されている。
【００５５】
本実施形態では、一例として、図１５〜１８に示されるように、第一支持部２ａは、載置面Ｐに沿った側方視（図１５の視線）では薄く、載置面Ｐと垂直な平面視では矩形状（台形状）の外観を呈し、載置面Ｐに沿う扁平な形状（板状、壁状）に構成されている。また、本実施形態では、一例として、第二支持部２ｂは、第一支持部２ａの端部２ａ２から垂直より後側（テレビジョン受像機１を装着した状態での後側、端部２ａ２の反対側の端部２ａ３側）へ僅かに倒れた方向に突出している。第二支持部２ｂは、図１５〜２０に示されるように、テレビジョン受像機１の筐体３の一端部（本実施形態では、一例として、端部３ｅ）の一部を、テレビジョン受像機１を所定位置（保持位置、保持領域）に装着する（挿入する）方向（本実施形態では、一例として上方）を除く各方向、すなわち、下方、後方、側方（左方および右方）、ならびに前方から囲う（覆う）ように保持する（支持する、持つ、支える）。また、端部３ｅ（図７参照）に沿った部分も、第二支持部２ｂで覆うことができる。また、第二支持部２ｂは、テレビジョン受像機１がドッキングステーション２の所定位置に向けて移動する（スライドする、変位する、挿入される、装着される）際に、テレビジョン受像機１の筐体３を当該所定位置に案内するガイドとしても機能する。すなわち、第二支持部２ｂは、案内部（ガイド部、スライド部、滑部）の一例である。本実施形態では、一例として、第二支持部２ｂは、壁部２ｅ〜２ｈを有する。壁部（第一壁、第一壁部、底壁部、下壁部）２ｅは、所定位置に保持された筐体３の下方に位置され、筐体３を下方から覆う。壁部（第二壁、第二壁部、後壁部、背壁部）２ｆは、筐体３の後方に位置され、筐体３を後方（後側、後面側、背面側、背後側）から覆う。壁部（第三壁、第三壁部、側壁部）２ｇは、筐体３の側方に位置され、筐体３を側方から覆う。壁部（第四壁、第四壁部、前壁部）２ｈは、筐体３の前方に位置され、筐体３を前方から覆う。なお、壁部２ｅは、第一支持部２ａの一部として構成することもできる。
【００５６】
また、本実施形態では、一例として、ドッキングステーション２は、テレビジョン受像機（電子機器）１の機能部分を露出させた状態で、あるいは機能部分がドッキングステーション２の周囲と連通された状態で、テレビジョン受像機１を覆っている。一例として、本実施形態では、図５，１７に示されるように、テレビジョン受像機１の前方に対応して、第二支持部２ｂには、開口部２ｉが設けられている。開口部２ｉは、切欠部や貫通孔等（本実施形態では、一例として切欠部）として設けることができる。すなわち、本実施形態では、テレビジョン受像機１がドッキングステーション２に装着された姿勢で、筐体３の前面３ａの左右両側に位置する端部３ｄ，３ｆに沿った部分であって、表示画面４ａおよび開口部３ｒから外れた部分が、第二支持部２ｂ（の壁部２ｈ）で覆われている。このような構成により、一例としては、表示画面４ａの視認性が確保されやすい。なお、筐体３の前面３ａの下側に位置する端部３ｅを覆う部材（例えば、第二支持部２ｂ、第一支持部２ａ、筐体４０の一部、筐体４０とは別の部材等）で覆われてもよい。
【００５７】
また、本実施形態では、一例として、ドッキングステーション２は、テレビジョン受像機１の筐体３に設けられた通気口２２が露出した状態で、テレビジョン受像機１を保持している。図１６，８，９からわかるように、通気口２２は、筐体３の第二部３Ｂｂおよび傾斜部３Ｂｃに設けられている。そして、図１５，１６からわかるように、通気口２２は、第二支持部２ｂの各部の上側の端部（縁部、辺部）２ｊより上方に位置し、ドッキングステーション２に覆われず、露出している。よって、一例としては、通気口２２を通る空気（空気流）がドッキングステーション２に妨げられるのが抑制されやすい。また、筐体３に設けられたコネクタ２１の開口部３ｕや、部品１６を収容した部品収容部１７の開口部１７ａ、操作部２０の開口部３ｕ等も露出している。よって、本実施形態では、一例としては、ドッキングステーション２によって開口部３ｕ，１７ａに対する部品や手指等の接近や操作が妨げられるのが抑制されやすい。また、上記構成により、筐体３中で発熱量の大きい領域の一例である筐体３の第二部３Ｂｂが、ドッキングステーション２から露出する。よって、一例としては、第二部３Ｂｂがドッキングステーション２で覆われた場合に比べて、放熱性が大きくなりやすい。また、一例としては、冷却効率が高くなりやすい。
【００５８】
また、本実施形態では、一例として、図１５，１７，１９に示されるように、筐体３を支持する壁部２ｆの面（前面）２ｋには、突出部（突起）２ｍ，２ｎが設けられている。具体的には、図１７に示されるように、複数（本実施形態では、一例として二つ）の突出部２ｍが、壁部２ｆの端部２ｊに沿って間隔をあけて配置されている。突出部２ｍは、筐体３のドッキングステーション２への出入方向（進退方向、挿入方向、着脱方向、装着方向）Ｉに沿って略一定の幅で延びている。また、図１５に示されるように、突出部２ｍの外縁（端縁、前縁、先端、前端）は、壁部２ｆの法線方向に向けて凸となる形状に曲がっている。また、図１７に示されるように、複数（本実施形態では、一例として二つ）の突出部２ｎが、壁部２ｇとの端部に沿って位置されている。突出部２ｎは、筐体３のドッキングステーション２への出入方向Ｉに沿って略一定の幅で延びている。また、図１９に示されるように、突出部２ｎの外縁（端縁、前縁、先端、前端）は、壁部２ｆの面２ｋに沿って当該面２ｋと並行して平面状に延びている。そして、突出部２ｍ，２ｎは、筐体３の後面（面、第二面）３ｂに接触する。突出部２ｍ，２ｎは、筐体３のドッキングステーション２への出入方向に沿って異なる位置で相互に離間して設けられるとともに、出入方向と直交する方向に沿って異なる位置で相互に離間して設けられている。よって、本実施形態によれば、一例としては、所定位置に位置されたテレビジョン受像機１の筐体３は、後方（後側、後面側、背面側、背後側）から複数の位置に相互に離間して配置された突出部２ｍ，２ｎによって、より安定的に支持される。また、突出部２ｍ，２ｎによって、図１９に示されるように、壁部２ｆの面２ｋと筐体３の後面３ｂとが離間され、面２ｋと後面３ｂとの間に隙間ｇ１が設けられる。よって、本実施形態では、一例としては、面２ｋと後面３ｂとの接触による摩擦力が増大してテレビジョン受像機（電子機器）１の筐体３がドッキングステーション２に対して動きにくくなるのが、抑制される。また、一例としては、隙間ｇ１での空気流が確保されやすく、その分、冷却性能が高くなりやすい。また、本実施形態では、一例として、図１９に示されるように、壁部２ｈの裏側（後側、後面側、背面側、背後側）にも、突出部２ｐが設けられている。この突出部２ｐは、筐体３の前面（面、第一面）３ａに接触する。筐体３の面３ａと壁部２ｈの面（裏面、後面）２ｓとの間にも隙間ｇ３が設けられる。この突出部２ｐも、所定位置でのテレビジョン受像機１の筐体３のより安定的な保持に寄与することができる。
【００５９】
また、本実施形態では、一例として、図１７に示されるように、壁部２ｅには開口部２ｒが設けられ、この開口部２ｒからコネクタ４３が露出し、かつ壁部２ｅ上に突出している。このコネクタ４３は、テレビジョン受像機１の筐体３の開口部３ｕから筐体３内へ入り、コネクタ１９に結合され、当該コネクタ１９と電気的に接続される。なお、コネクタ４３の側端部かつ先端部となる角部には、コネクタ１９との結合の際にガイドとなる突出部（突起、ガイド、図示されず）が設けられている。
【００６０】
また、本実施形態では、一例として、図１９，２０に示される壁部２ｇ，２ｈは、不導体（非導電性材料、一例としては合成樹脂材料等）によって構成される。ドッキングステーション２に装着された際、テレビジョン受像機１の、壁部２ｇ，２ｈに対応した部分には、アンテナ２６が位置される。よって、本実施形態によれば、一例として、アンテナ２６の通信性能が低下するのが抑制されやすい。すなわち、本実施形態では、一例として、アンテナ２６に対応した部分が、少なくとも一方側（本実施形態では、一例としてテレビジョン受像機１をドッキングステーション２に装着した状態での表示画面４ａに対する正面視で前方かつ側方）では、電磁的に露出されている（導体で覆われていない）。
【００６１】
また、本実施形態では、一例として、図１５に示されるように、部品収容部４１は、上方に位置された壁部（上壁、天壁、第一壁部）４１ａ、背面視（正面視）で左右両側に位置された壁部（側壁、縦壁、立壁、起立壁、第二壁部）４１ｂ、後方（背後側）に位置された壁部（後壁、背壁、第二壁部）４１ｃ、を有する。壁部４１ｂは、部品収容部４１の側方の端部の一例である。また、壁部４１ｃは、部品収容部４１の後方の端部の一例である。
【００６２】
また、本実施形態では、一例として、図１６，１８に示されるように、コネクタ４４は部品収容部４１（筐体４０）の壁部４１ｃの面４１ｄに設けられた開口部４１ｅから露出している。そして、本実施形態では、一例として、第一支持部２ａの端部２ａ３が、壁部４１ｃ（面４１ｄ、端部）に対して、コネクタ４４の開放側（開口部４１ｅの開放側、開口側、本実施形態では、一例として後方）に離間している。すなわち、本実施形態では、一例として、第一支持部２ａには、壁部４１ｃより後側に、壁部４１ｃから当該開放側に突出した突出部（張出部、フランジ部、延部、周辺部、周縁部、底部、敷部、脚部、壁部）２ａ１が設けられている。なお、突出部２ａ１は、本実施形態では、一例として、平板状に設けられているが、種々の形状に構成されることができる。例えば、突出部２ａ１は、帯状や、棒状、メッシュ状、環状等であってもよいし、切欠や貫通孔等の開口部や、凹凸部分が設けられることができる。また、本実施形態では、一例として、突出部２ａ１は、コネクタ４４に結合されるコネクタやケーブル（ハーネス、配線）等（図示されず）を下側から覆っている。すなわち、突出部２ａ１は、覆部（カバー部、保護部）の一例である。また、突出部２ａ１が壁部４１ｃから突出することで、コネクタ４４に結合されるコネクタやケーブル等に、他の物（壁や、機器、部品等）が当たるのが抑制される。すなわち、突出部２ａ１は、抑制部（保護部）の一例である。また、突出部２ａ１は、載置面Ｐ（図１５参照）に沿って、後方に対して交叉する方向（本実施形態では、一例として、直交方向、正面視および背面視での左右方向）にも延びている。すなわち、突出部２ａ１は、壁部４１ｂから側方にも突出している。よって、一例としては、突出部２ａ１の上方に、コネクタやケーブルを通すスペース（領域）を確保しやすくなる。なお、突出部２ａ１には、ケーブルを引っ掛けたり、固定したりする機構（例えば、突出部、壁部、凹部、溝、係部、フック等）が設けられることができる。また、壁部４１ｂに、開口部４１ｅが設けられ、当該開口部４１ｅからコネクタ４４が露出されてもよい。
【００６３】
以上、本発明の実施形態について説明したが、上記実施形態は一例に過ぎない。本発明は上記実施形態には限定されず、種々の変形が可能である。例えば、図２１に示されるように、シールド部９０（部材９０ａ）は、アンテナ２６（グラウンド部２６ｂ）の三つの周縁部に沿って設けられることができる。また、図示されないが、一つの周縁部に沿って設けられることもできる。また、例えば、図２２，２３に示されるように、シールド部９０は、導電性を有した他の構成（例えば、フィルム、箔、シート、布、テープ、塗料等、図２２では、導電性を有したテープ９０ｄ、図２３では、導電性を有した塗料の層９０ｅ）であってもよい。また、図２２，２３では、二つの壁部３ｍ，３２ａ間で、一つのシールド部９０（図２２ではテープ９０ｄ、図２３では部材９０ａ）が亘っている。また、図２３の例では、壁部３ｍが合成樹脂材料等の絶縁性材料であった場合でも、その面３ｍ１に導電性を有した層９０ｅを設けることで、上記実施形態と同様のシールド効果が得られる。なお、アルミニウム箔（フィルム）等を貼り付ける等することでも、同様の効果が得られる。壁部３２ａが合成樹脂材料等の絶縁性材料であった場合も同様である。また、シールド部の固定構造（取付構造）としても種々の構成を採用することができる。図２３のように、可撓性（弾性）を有した部材９０の場合、二つの壁部３ｍ，３２ａ間に挟むことで、より強固に保持されやすい。また、上記各実施形態の技術的特徴は、適宜に組み合わせて実施することができる。また、各構成要素のスペック（構造や、種類、方向、形状、大きさ、長さ、幅、厚さ、高さ、数、配置、位置、材質等）は、適宜に変更して実施することができる。
【符号の説明】
【００６４】
１，１Ａ…テレビジョン受像機（電子機器）、３，３Ａ…筐体、３ｃ…端部、３ｅ…端部（第二端部）、３ｈ…角部、３ｍ…壁部（第一壁部）、３ｍ１…面（壁面）、４…表示装置、４ａ…表示画面、６，７…基板（回路基板）、１２…電子部品（部品）、２６…アンテナ、２６ａ…通信部、２６ｂ…グラウンド部、３２ａ１…面（壁面）、３２ａ…壁部（第二壁部）、８０…開口部、８１…部材、９０…シールド部、９０ａ…部材（第一部分）、９０ｂ…突出部（第二部分）。
【図１】
0005221729.tif 000002
【図２】
0005221729.tif 000003
【図３】
0005221729.tif 000004
【図４】
0005221729.tif 000005
【図５】
0005221729.tif 000006
【図６】
0005221729.tif 000007
【図７】
0005221729.tif 000008
【図８】
0005221729.tif 000009
【図９】
0005221729.tif 000010
【図１０】
0005221729.tif 000011
【図１１】
0005221729.tif 000012
【図１２】
0005221729.tif 000013
【図１３】
0005221729.tif 000014
【図１４】
0005221729.tif 000015
【図１５】
0005221729.tif 000016
【図１６】
0005221729.tif 000017
【図１７】
0005221729.tif 000018
【図１８】
0005221729.tif 000019
【図１９】
0005221729.tif 000020
【図２０】
0005221729.tif 000021
【図２１】
0005221729.tif 000022
【図２２】
0005221729.tif 000023
【図２３】
0005221729.tif 000024